(57)【要約】【課題】筐体から排出されるシートの落下を抑制することができる、画像読取装置およびシート搬送装置を提供する。【解決手段】筐体２から排出されるシートＬは、第１受け部９１および第２受け部９３に受けられる。第２受け部９３は、第１受け部９１の左側に設けられている。第２受け部９３は、前後方向において、中央の第２ＬＦローラ３１の後側に位置する。そのため、筐体２から排出されるシートＬが第１受け部９１上から第２受け部９３上に差し掛かると、シートＬの後側に片寄った部分が第２受け部９３から摩擦力を受ける。また、突出部９２が第１受け部９１に設けられている。突出部９２は、第２ＬＦローラ３１の前側に設けられている。そのため、シートＬの前側に片寄った部分が突出部９２から摩擦力を受ける。【選択図】図９Ｂ
2014097887.tif 000002
【特許請求の範囲】
【請求項１】
筐体と、
前記筐体に設けられ、シートの画像を読み取るように構成される読取部と、
前記筐体に設けられ、前記筐体からシートを排出するように構成される排出ローラと、
前記筐体に連結され、前記排出ローラによって排出されるシートを受けるように構成される受け面を有する第１受け部と、
前記排出ローラによるシートの排出方向における前記第１受け部の下流側、かつ、前記排出方向と直交する幅方向における前記排出ローラの中央に対する一方側に設けられ、前記排出ローラによって排出されるシートを受けるように構成される第２受け部と、
前記第１受け部において、前記幅方向における前記排出ローラの中央に対する少なくとも他方側に設けられ、前記受け面から突出する突出部とを備える、画像読取装置。
【請求項２】
前記突出部は、前記幅方向における前記排出ローラの中央に対する前記一方側および前記他方側に設けられる、請求項１に記載の画像読取装置。
【請求項３】
前記突出部の前記排出方向の下流側は、前記突出部の前記排出方向の上流側よりも突出している、請求項１または２に記載の画像読取装置。
【請求項４】
前記第２受け部は、前記排出方向の下流側の端部に、前記突出部と同じ側に突出する突起部を備えている、請求項１〜３のいずれか一項に記載の画像読取装置。
【請求項５】
前記第２受け部は、前記排出方向および前記幅方向と直交する方向に延びる回動軸線を中心に回動可能に設けられている、請求項１〜４のいずれか一項に記載の画像読取装置。
【請求項６】
前記第２受け部の前記回動軸線は、前記幅方向における前記排出ローラの中央に対する前記一方側に設けられている、請求項５に記載の画像読取装置。
【請求項７】
筐体と、
前記筐体に設けられ、前記筐体からシートを排出するように構成される排出ローラと、
前記筐体に連結され、前記排出ローラによって排出されるシートを受けるように構成される受け面を有する第１受け部と、
前記排出ローラによるシートの排出方向における前記第１受け部の下流側、かつ、前記排出方向と直交する幅方向における前記排出ローラの中央に対する一方側に設けられ、前記排出ローラによって排出されるシートを受けるように構成される第２受け部と、
前記第１受け部において、前記幅方向における前記排出ローラの中央に対する少なくとも他方側に設けられ、前記受け面から突出する突出部とを備える、シート搬送装置。
【発明の詳細な説明】
【技術分野】
【０００１】
本発明は、画像読取装置およびシート搬送装置に関する。
【背景技術】
【０００２】
シートを搬送するシート搬送装置は、たとえば、画像読取装置に備えられている。シートは、シート搬送装置により、画像読取部を経由して搬送される。シートが画像読取部を通過する際に、画像読取部により、シートの画像が読み取られる。
【０００３】
その後、コピー用紙などの薄手のシートは、搬送方向が反転されて、トレイに排出される。一方、葉書などの厚手のシートは、筐体の搬送方向下流側の側面に設けられた排紙トレイに排出される。排紙トレイは、筐体の側面に対して開閉可能に設けられる。
【先行技術文献】
【特許文献】
【０００４】
【特許文献１】特開平２−２９１３５２号公報
【発明の概要】
【発明が解決しようとする課題】
【０００５】
薄型の画像読取装置の場合、排紙トレイのシートの排出方向における長さが厚手のシートの長さよりも短くなり得る。そのため、シートが筐体から排紙トレイに排出されるときに、シートが排紙トレイから落下するおそれがある。
【０００６】
本発明の目的は、筐体から排出されるシートの落下を抑制することができる、画像読取装置およびシート搬送装置を提供する。
【課題を解決するための手段】
【０００７】
前記の目的を達成するため、本発明に係る画像読取装置は、筐体と、前記筐体に設けられ、シートの画像を読み取るように構成される読取部と、前記筐体に設けられ、前記筐体からシートを排出するように構成される排出ローラと、前記筐体に連結され、前記排出ローラによって排出されるシートを受けるように構成される受け面を有する第１受け部と、前記排出ローラによるシートの排出方向における前記第１受け部の下流側、かつ、前記排出方向と直交する幅方向における前記排出ローラの中央に対する一方側に設けられ、前記排出ローラによって排出されるシートを受けるように構成される第２受け部と、前記第１受け部において、前記幅方向における前記排出ローラの中央に対する少なくとも他方側に設けられ、前記受け面から突出する突出部とを備える。
【０００８】
この構成によれば、筐体から排出されるシートは、第１受け部および第２受け部に受けられる。第２受け部は、シートの排出方向における第１受け部の下流側に設けられている。そのため、筐体から排出されるシートを受けるために、シートの排出方向において、第１受け部および第２受け部を合わせた長さを確保することができる。よって、シートの落下を抑制することができる。
【０００９】
第２受け部は、排出方向と直交する幅方向において、排出ローラの中央に対する一方側に位置する。
【００１０】
そのため、筐体から排出されるシートが第１受け部上から第２受け部上に差し掛かると、シートにおける幅方向の一方側に片寄った部分が第２受け部から摩擦力を受ける。シートにおける幅方向の一方側に片寄った部分のみに摩擦力が作用していると、シートの搬送方向が幅方向の他方側に傾き、シートが第２受け部から脱落するおそれがある。
【００１１】
突出部が第１受け部に設けられている。突出部は、幅方向における排出ローラの中央に対する他方側に設けられている。
【００１２】
そのため、シートにおける幅方向の他方側に片寄った部分が突出部から摩擦力を受ける。これにより、幅方向において、第２受け部および突出部からシートに摩擦力がバランスよく作用する。その結果、シートが幅方向に傾くことを抑制し、第２受け部からのシートの落下を抑制することができる。
【００１３】
突出部は、幅方向における排出ローラの中央に対する一方側および他方側に設けられていてもよい。
【００１４】
この構成によれば、筐体から排出されるシートは、幅方向の一方側および他方側の突出部上に乗り上がる。これにより、シートの排出方向下流側の端部は、第１受け部の受け面から浮き上がる。そのため、その端部は、第２受け部の排出方向の上流側の端部を越えて、第２受け部の排出方向の途中部から下流側の部分に接触する。その結果、シートが第２受け部から摩擦力を受けながら搬送される期間が短くなる。よって、第２受け部からのシートの落下を一層抑制することができる。
【００１５】
突出部の排出方向の下流側は、突出部の排出方向の上流側よりも突出していてもよい。
【００１６】
これにより、シートを第１受け部の受け面から突出部上にスムーズに移動させることができる。
【００１７】
第２受け部は、排出方向の下流側の端部に、突出部と同じ側に突出する突起部を備えていてもよい。
【００１８】
この構成によれば、シートの先端部が突起部に当接することにより、シートが第２受け部を搬出方向に越えて落下することを抑制できる。
【００１９】
第２受け部は、排出方向および幅方向と直交する方向に延びる回動軸線を中心に回動可能に設けられていてもよい。
【００２０】
回動軸線が第１受け部の搬送方向下流側の端縁よりも搬送方向上流側に配置されていれば、第２受け部の回動により、第２受け部を第１受け部の搬送方向下流側の端縁よりも搬送方向上流側の位置とその端縁よりも搬送方向下流側の位置とに移動させることができる。
【００２１】
第２受け部の回動軸線は、幅方向における排出ローラの中央に対する一方側に設けられていてもよい。
【００２２】
これにより、第２受け部が第１受け部の搬送方向下流側の端縁よりも搬送方向下流側に位置するときに、第２受け部を幅方向における排出ローラの中央に対する一方側に位置させることができる。
【００２３】
本発明の他の局面に係るシート搬送装置は、筐体と、前記筐体に設けられ、前記筐体からシートを排出するように構成される排出ローラと、前記筐体に連結され、前記排出ローラによって排出されるシートを受けるように構成される受け面を有する第１受け部と、前記排出ローラによるシートの排出方向における前記第１受け部の下流側、かつ、前記排出方向と直交する幅方向における前記排出ローラの中央に対する一方側に設けられ、前記排出ローラによって排出されるシートを受けるように構成される第２受け部と、前記第１受け部において、前記幅方向における前記排出ローラの中央に対する少なくとも他方側に設けられ、前記受け面から突出する突出部とを備える。
【００２４】
この構成によれば、筐体から排出されるシートは、第１受け部および第２受け部に受けられる。第２受け部は、シートの排出方向における第１受け部の下流側に設けられている。そのため、シートの排出方向において、第１受け部および第２受け部を合わせた長さを確保することができる。よって、シートの落下を抑制することができる。
【００２５】
第２受け部は、排出方向と直交する幅方向において、排出ローラの中央に対する一方側に位置する。
【００２６】
そのため、筐体から排出されるシートが第１受け部上から第２受け部上に差し掛かると、シートにおける幅方向の一方側に片寄った部分が第２受け部から摩擦力を受ける。シートにおける幅方向の一方側に片寄った部分のみに摩擦力が作用していると、シートの搬送方向が幅方向の他方側に傾き、シートが第２受け部から脱落するおそれがある。
【００２７】
突出部が第１受け部に設けられている。突出部は、幅方向における排出ローラの中央に対する他方側に設けられている。
【００２８】
そのため、シートにおける幅方向の他方側に片寄った部分が突出部から摩擦力を受ける。これにより、幅方向において、第２受け部および突出部からシートに摩擦力がバランスよく作用する。その結果、シートが幅方向に傾くことを抑制し、第２受け部からのシートの落下を抑制することができる。
【発明の効果】
【００２９】
本発明によれば、筐体から排出されるシートの落下を抑制することができる。
【図面の簡単な説明】
【００３０】
【図１】図１は、本発明の一実施形態に係る画像読取装置１の左前上方から見た斜視図であり、トレイ３がトレイ位置に位置する状態を示す。
【図２】図２は、図１に示される画像読取装置１の断面図である。
【図３】図３は、画像読取装置１の左前上方から見た斜視図であり、排出カバー５がトレイ位置に位置し、第２受け部９３が展開位置に位置する状態を示す。
【図４】図４は、図３に示される画像読取装置１の断面図である。
【図５】図５は、画像読取装置１の右前上方から見た斜視図であり、メンテナンスカバー４が取り外されて、排出カバー５がトレイ位置に位置し、第２受け部９３が収納位置に位置する状態を示す。
【図６】図６は、画像読取装置１の右前上方から見た斜視図であり、メンテナンスカバー４が取り外されて、排出カバー５がトレイ位置に位置し、第２受け部９３が展開位置に位置する状態を示す。
【図７】図７は、画像読取装置１の右前上方から見た斜視図であり、第１受け部９１およびメンテナンスカバー４が取り外され、排出カバー５がトレイ位置に位置し、第２受け部９３が収納位置に位置する状態を示す。
【図８】図８は、画像読取装置１の右前上方から見た斜視図であり、第１受け部９１およびメンテナンスカバー４が取り外され、排出カバー５がトレイ位置に位置し、第２受け部９３が展開位置に位置する状態を示す。
【図９Ａ】図９Ａは、画像読取装置１の右前上方から見た図であり、シートＬが第２パス７８を搬送されている状態を示す説明図である。
【図９Ｂ】図９Ｂは、画像読取装置１の右前上方から見た図であり、シートＬの先端部が突出部９２に乗り上がった状態を示す説明図である。
【図９Ｃ】図９Ｃは、画像読取装置１の右前上方から見た図であり、シートＬの先端部が第２受け部９３に接触した状態を示す説明図である。
【図９Ｄ】図９Ｄは、画像読取装置１の右前上方から見た図であり、メンテナンスカバー４が取り外されて、シートＬの排出が完了した状態を示す説明図である。
【発明を実施するための形態】
【００３１】
以下では、本発明の実施の形態について、添付図面を参照しつつ詳細に説明する。
【００３２】
＜外観構成＞
【００３３】
図１および図３に示されるように、画像読取装置１は、筐体２、トレイ３、メンテナンスカバー４および排出カバー５を備える。トレイ３、メンテナンスカバー４および排出カバー５は、筐体２に取り付けられている。
【００３４】
なお、トレイ３およびメンテナンスカバー４が設けられている側を上側とし、排出カバー５が設けられている側を左側として、上下、左右および前後の各方向を規定する。そして、図１以降の各図では、矢印で方向を表示する。
【００３５】
筐体２は、非図示のプリンタの筐体に上方から結合される。筐体２は、前側板６、後側板７、左側板８および右側板９を備える。前側板６および後側板７は、互いに前後方向に間隔を空けて配置されている。左側板８は、前側板６および後側板７の各左端部間に架設されている。左側板８は、前左側板１０と後左側板１１とに分割されている。前左側板１０および後左側板１１は、互いに前後方向に離間している。右側板９は、前側板６および後側板７の各右端部間に架設されている。
【００３６】
トレイ３は、前側板６および後側板７の各中央部間に配置されている。トレイ３は、カバー位置と図１などに示すトレイ位置との間で、その右端縁に沿って前後方向に延びる回動軸線まわりに回動可能に設けられている。トレイ３は、カバー位置において、筐体２の上面１２に沿って延びる。トレイ３は、トレイ位置において、筐体２から右上がりに延出する。
【００３７】
メンテナンスカバー４は、前側板６および後側板７間に配置されている。メンテナンスカバー４は、閉位置と開位置との間で、その右端縁に沿って前後方向に延びる回動軸線まわりに回動可能に設けられている。メンテナンスカバー４は、閉位置において、筐体２の上面１２に沿って延びる。メンテナンスカバー４は、開位置において、筐体２から左上がりに延出する。
【００３８】
排出カバー５は、前左側板１０と後左側板１１との間に配置されている。排出カバー５は、カバー位置とトレイ位置との間で、その下端縁に沿って前後方向に延びる回動軸１３を支点に回動可能に設けられている。排出カバー５は、図１および図２に示されるように、カバー位置において、上下方向に延びる。排出カバー５がカバー位置に位置する状態で、排出カバー５の外面は、前左側板１０および後左側板１１の各外面と略同一平面上に配置される。排出カバー５は、図３および図４に示されるように、トレイ位置において、筐体２から左上がりに延出する。
【００３９】
＜内部構成＞
【００４０】
画像読取装置１は、図２および図４に示されるように、供給部２１、１対のシート幅ガイド２２、供給ローラ２３、分離ローラ２４、分離片２５、共通パス形成部２６、３つの第１ＬＦローラ２７、３つの従動ローラ２８、下読取部２９、上読取部３０、排出ローラの一例としての３つの第２ＬＦローラ３１、３つの従動ローラ３２，従動ローラ３３、第１パス形成部３５、３つの従動ローラ３６、排出部３７および第２パス形成部３８を備える。
【００４１】
供給部２１は、筐体２の左右方向の中央部に設けられている。画像読取の対象であるシートＳは、供給部２１の上面４１に載置される。
【００４２】
１対のシート幅ガイド２２は、供給部２１に設けられている。１対のシート幅ガイド２２は、互いに前後方向に対向している。１対のシート幅ガイド２２は、それらの間の中央を基準として、互いに同じ移動量で近接および離間可能に構成されている。１対のシート幅ガイド２２の間隔は、供給部２１の上面４１に載置されるシートＳの前後方向の幅に合わせて調節される。シートＳは、１対のシート幅ガイド２２の間に右側から差し込まれる。これにより、シートＳは、供給部２１の上面４１にセンタ基準で載置される。
【００４３】
供給ローラ２３は、供給部２１の左側かつ前後方向の中央部に配置されている。供給ローラ２３は、筐体２に、前後方向に延びる回転軸線まわりに回転可能に設けられている。
【００４４】
分離ローラ２４は、供給ローラ２３の左側かつ前後方向の中央部に配置されている。分離ローラ２４は、筐体２に、前後方向に延びる回転軸線まわりに回転可能に設けられている。
【００４５】
分離片２５は、分離ローラ２４の上側に配置されている。分離片２５は、分離ローラ２４の周面に上方から弾性的に当接している。
【００４６】
共通パス形成部２６は、分離ローラ２４の左側かつメンテナンスカバー４の下側において、筐体２に設けられている。共通パス形成部２６は、上側形成部５１および下側形成部５２を備える。上側形成部５１の下面５３は、左下がりに傾斜している。下側形成部５２の上面５４は、上側形成部５１の下面５３と間隔を空けてほぼ平行に延びている。上側形成部５１の下面５３と下側形成部５２の上面５４との間の空間は、シートＳが通過する共通パス５５である。
【００４７】
３つの第１ＬＦローラ２７は、前後方向に延びる回転軸５６に前後方向に等間隔を空けて取り付けられている。回転軸５６は、上側形成部５１の左右方向の中央部において、上側形成部５１の上面５４よりも上側に配置されている。回転軸５６は、筐体２に回転可能に保持されている。各第１ＬＦローラ２７の周面の一部は、共通パス５５に突出している。
【００４８】
３つの従動ローラ２８は、前後方向に等間隔を空けて設けられている。各従動ローラ２８は、前後方向に延びるばね軸５７に回転可能に支持されている。ばね軸５７は、下側形成部５２の左右方向の中央部において、下側形成部５２の上面５４よりも下側に配置されている。ばね軸５７は、筐体２に保持されている。各従動ローラ２８の周面の一部は、共通パス５５に突出している。各従動ローラ２８の周面の一部は、共通パス５５において、第１ＬＦローラ２７の周面に右下方から当接している。各従動ローラ２８は、第１ＬＦローラ２７の回転に従動して回転する。
【００４９】
下読取部２９は、下コンタクトガラス６１および密着イメージセンサモジュール６２を備える。
【００５０】
下コンタクトガラス６１は、供給部２１、供給ローラ２３、分離ローラ２４および従動ローラ２８の下側において、筐体２に保持されている。下コンタクトガラス６１は、筐体２の上面１２とほぼ平行をなして、左右方向および前後方向に延びている。下コンタクトガラス６１の左端部は、共通パス形成部２６の左側に位置している。共通パス５５は、上側形成部５１の下面５３と下側形成部５２の上面５４との間から下コンタクトガラス６１の上側を経由して左方に延びている。
【００５１】
密着イメージセンサモジュール６２は、下コンタクトガラス６１の下側に、左右方向に移動可能に設けられている。密着イメージセンサモジュール６２の内部には、たとえば、ＬＥＤ光源、レンズおよびイメージセンサなどが設けられている。密着イメージセンサモジュール６２は、ＡＤＦ読取時および画像読取装置１の未使用時などにおいて、下コンタクトガラス６１の左端部の下側に配置されている。
【００５２】
上読取部３０は、上コンタクトガラス６３および密着イメージセンサモジュール６４を備える。
【００５３】
上コンタクトガラス６３は、下コンタクトガラス６１の左側かつ下コンタクトガラス６１よりも上側の位置において、筐体２に保持されている。上コンタクトガラス６３は、前後方向に延びている。共通パス５５は、上コンタクトガラス６３の下側を経由して左方に延びている。
【００５４】
密着イメージセンサモジュール６４は、上コンタクトガラス６３の下側に配置されている。密着イメージセンサモジュール６４の内部には、たとえば、ＬＥＤ光源、レンズおよびイメージセンサなどが設けられている。
【００５５】
３つの第２ＬＦローラ３１は、上読取部３０の左側に設けられている。３つの第２ＬＦローラ３１は、前後方向に延びる回転軸６５に等間隔を空けて取り付けられている。回転軸６５は、筐体２に回転可能に保持されている。
【００５６】
３つの従動ローラ３２は、第２ＬＦローラ３１の下側に配置されている。３つの従動ローラ３２は、前後方向に延びる回転軸６６に等間隔を空けて取り付けられている。回転軸６６は、筐体２に回転可能に保持されている。各従動ローラ３２の周面の一部は、第２ＬＦローラ３１の周面に当接している。従動ローラ３２は、第２ＬＦローラ３１の回転に従動して回転する。
【００５７】
従動ローラ３３は、中央の第２ＬＦローラ３１の下側かつ従動ローラ３２の左側に配置されている。従動ローラ３３には、前後方向に延びる回転軸６７が挿通されている。回転軸６７は、筐体２に保持されている。従動ローラ３３の周面の一部は、中央の第２ＬＦローラ３１に当接している。従動ローラ３３は、第２ＬＦローラ３１の回転に従動して回転する。共通パス５５は、分離ローラ２４と分離片２５との接触位置から第２ＬＦローラ３１と従動ローラ３３との接触位置まで延びている。
【００５８】
第１パス形成部３５は、上側形成部７１および下側形成部７２を備える。上側形成部７１は、メンテナンスカバー４の内面に設けられている。上側形成部７１の左端部７３の下面は、第２ＬＦローラ３１の左側に間隔を空けた位置から第２ＬＦローラ３１の周面に沿って湾曲している。上側形成部７１の右端部７４の下面は、筐体２の上面１２とほぼ平行をなして、前後方向および左右方向に延びている。下側形成部７２は、上側形成部７１の右端部７４の下側に間隔を空けて、前後方向および左右方向に延びている。第２ＬＦローラ３１と上側形成部７１との間の空間および上側形成部７１と下側形成部７２との間の空間は、シートＳが通過する第１パス７５である。
【００５９】
３つの従動ローラ３６は、第２ＬＦローラ３１の上側に配置されている。３つの従動ローラ３６は、前後方向に延びる回転軸７６に等間隔を空けて取り付けられている。回転軸７６は、メンテナンスカバー４に回転可能に保持されている。各従動ローラ３６の周面の一部は、第１パス７５において、第２ＬＦローラ３１の周面に当接している。従動ローラ３２は、第２ＬＦローラ３１の回転に従動して回転する。
【００６０】
排出部３７は、下側形成部７２の右側において、供給部２１の上側に間隔を空けて設けられている。排出部３７の上面７７は、前後方向および左右方向に延びる略平面に形成されている。
【００６１】
第２パス形成部３８は、従動ローラ３３の左側において、筐体２に設けられている。第２パス形成部３８は、従動ローラ３３の左側に間隔を空けた位置から左方に少し延び、左上側に屈曲して、排出カバー５の下端部の右側に間隔を空けた位置まで延びている。第２パス形成部３８の上側の空間は、シートＬが通過する第２パス７８である。
【００６２】
また、画像読取装置１は、フラッパ８１およびリンク機構８２を備えている。
【００６３】
フラッパ８１は、第１パス形成部３５の上側形成部７１の左端部の下側に配置されている。フラッパ８１は、筐体２に、図２に示される状態と図４に示される状態とに揺動可能に設けられている。図２に示される状態のフラッパ８１は、第１パス７５に沿って延びる。図２に示される状態のフラッパ８１は、第１パス７５へのシートＳの進入を許容する。図４に示される状態のフラッパ８１は、第２パス７８に沿って延びる。図４に示される姿勢のフラッパ８１は、第２パス７８へのシートＳの進入を許容する。
【００６４】
リンク機構８２は、排出カバー５の変位に連動して、フラッパ８１を図２に示される状態と図４に示される状態とに変位させる。具体的には、排出カバー５がカバー位置からトレイ位置に変位されると、リンク機構８２の働きにより、フラッパ８１が図２に示される状態から図４に示される状態に移動する。また、排出カバー５がトレイ位置からカバー位置に変位されると、リンク機構８２の働きにより、フラッパ８１が図４に示される状態から図２に示される状態に移動する。
【００６５】
画像読取装置１は、図２および図４に示されるように、第１受け部９１、２つの突出部９２および第２受け部９３を備える。
【００６６】
第１受け部９１は、図２および図４に示されるように、排出カバー５に、排出カバー５の内面９４と間隔を空けて設けられている。これにより、第２受け部９３を収納可能なスペース９５が第１受け部９１と排出カバー５の内面９４との間に形成されている。
【００６７】
２つの突出部９２は、第１受け部９１の排出カバー５側と反対側の受け面９６から突出している。２つの突出部９２は、前後方向において、それぞれ中央の第２ＬＦローラ３１に対し前側および後側に設けられている。各突出部９２は、排出カバー５の回動軸１３から遠い側が近い側よりも突出している。より具体的には、各突出部９２は、排出カバー５の回動軸１３から遠ざかるほど、受け面９６からの突出量が大きくなるように形成されている。各突出部９２は、回動軸１３から遠い側が近い側よりも突出するように傾斜している。
【００６８】
第２受け部９３は、図７に示される収納位置と図８に示される展開位置とに回動可能に設けられている。第２受け部９３は、収納位置に位置する状態において、図２に示されるように、スペース９５に収納される。第２受け部９３は、収納位置に位置する状態において、前後方向に延びている。第２受け部９３は、図４に示されるように、展開位置に位置する状態において、スペース９５から排出カバー５の内面９４に沿って延出する。
【００６９】
第２受け部９３は、図６に示されるように、延出部９７および突起部９８を備える。延出部９７は、後述する軸１００の位置から延出している。突起部９８は、延出部９７から突出している。
【００７０】
第２受け部９３が収納位置に位置する状態において、図７に示されるように、孔９９が延出部９７の後端部に形成されている。孔９９は、排出カバー５に突設された軸１００に外嵌される。これにより、第２受け部９３は、図７および図８に示されるように、軸１００を支点として、回動可能に設けられている。軸１００は、排出カバー５と直交する方向に、前後方向の中央の第２ＬＦローラ３１に対する後側に突設されている。そのため、第２受け部９３は、展開位置に位置する状態において、前後方向の中央の第２ＬＦローラ３１に対する後側に設けられる。
【００７１】
突起部９８は、図７に示されるように、第２受け部９３が収納位置に位置する状態において、延出部９７の前端部に形成されている。突起部９８は、延出部９７から突出部９２と同じ側に突出している。すなわち、突起部９８は、突出部９２と同様に、略右上方に突出している。
【００７２】
＜画像読取動作１＞
【００７３】
画像読取装置１における画像の読取対象のシートＳがコピー用紙などの腰の比較的弱いシートである場合、図１および図２に示されるように、排出カバー５が閉じられる。前述したように、シートＳは、供給部２１およびトレイ３上にセンタ基準で載置される。
【００７４】
シートＳの先端部は、供給ローラ２３の周面上に配置される。供給ローラ２３が前側から見て反時計回りに回転されると、供給部２１上の最下のシートＳの下面と供給ローラ２３の周面との摩擦力などにより、そのシートＳが分離ローラ２４と分離片２５との間に送り込まれる。
【００７５】
分離ローラ２４は、前側から見て反時計回りに回転されている。シートＳの先端部が分離ローラ２４と分離片２５との間に挟まれたときに、シートＳがたとえば１枚ずつに分離され、１枚のシートＳが分離ローラ２４と分離片２５との間を通過して、共通パス５５に送り込まれる。
【００７６】
第１ＬＦローラ２７は、前側から見て時計回りに回転されている。従動ローラ２８は、第１ＬＦローラ２７の回転に伴って、前側から見て反時計回りに回転している。共通パス５５に送り込まれたシートＳの先端部が第１ＬＦローラ２７および従動ローラ２８の各周面の当接部分に到達すると、第１ＬＦローラ２７および従動ローラ２８からシートＳに搬送力が付与される。
【００７７】
その後、シートＳは、下コンタクトガラス６１および上コンタクトガラス６３上を順に通過する。下コンタクトガラス６１および上コンタクトガラス６３上のシートＳに、それぞれ密着イメージセンサモジュール６２，６４のＬＥＤ光源から光が照射される。そして、シートＳでの反射光が密着イメージセンサモジュール６２，６４のイメージセンサに受けられることにより、シートＳの両面に描かれている画像が読み取られる。
【００７８】
第２ＬＦローラ３１は、前側から見て時計回りに回転される。従動ローラ３２，３３は、前側から見て反時計回りに回転する。シートＳの先端部が第２ＬＦローラ３１および従動ローラ３２の各周面の当接部分に到達すると、第２ＬＦローラ３１および従動ローラ３２からシートＳに搬送力が付与される。その後、シートＳの先端部が第２ＬＦローラ３１および従動ローラ３３の各周面の当接部分に到達すると、第２ＬＦローラ３１および従動ローラ３３からシートＳに搬送力が付与される。
【００７９】
排出カバー５が閉じられているので、フラッパ８１が図２に示される状態に位置している。すなわち、フラッパ８１は、第２パス７８への径路を閉じ、第１パス７８への径路を開放している。なお、「第２パス７８への径路を閉じる」とは、常に第２パス７８への径路を完全に閉鎖することを意味する訳ではなく、たとえば部分的に閉鎖し、第２パス７８へのシートＳの進入を抑制する形態をも含む表現である。「開放する」も同様である。そのため、第２ＬＦローラ３１と従動ローラ３２との間から送り出されるシートＳは、その先端がフラッパ８１に沿って移動することにより、第１パス７５を搬送される。
【００８０】
従動ローラ３６は、第２ＬＦローラ３１の回転に伴って、前側から見て反時計回りに回転する。シートＳの先端部が第２ＬＦローラ３１および従動ローラ３６の各周面の当接部分に到達すると、第２ＬＦローラ３１からシートＳに搬送力が付与される。
【００８１】
第２ＬＦローラ３１と従動ローラ３６との間を通過したシートＳは、たとえば排出部３７およびトレイ３上に跨がった状態に排出される。シートＳの先端部は、たとえば排出部３７の右端縁を越えて、トレイ３上に載置される。シートＳの後端部は、たとえば排出部３７上に残って、排出部３７上に載置される。これにより、排出部３７上のシートＳと供給部２１およびトレイ３上に跨がって載置されているシートとが重なり合うことが抑制される。
【００８２】
＜画像読取動作２＞
【００８３】
画像読取装置１における画像の読取対象のシートＳが葉書などの腰の比較的強いシートである場合、図３および図４に示されるように、排出カバー５が開かれる。以下の説明では、その腰の比較的強いシートＳを「シートＬ」と称して区別する。シートＬは、１対のシート幅ガイド２２の間に右側から差し込まれて、供給部２１の上面４１にセンタ基準で載置される。
【００８４】
シートＬの先端部は、供給ローラ２３の周面上に配置される。供給ローラ２３が前側から見て反時計回りに回転されると、供給部２１上の最下のシートＬの下面と供給ローラ２３の周面との摩擦力などにより、そのシートＬが分離ローラ２４と分離片２５との間に送り込まれる。
【００８５】
分離ローラ２４は、前側から見て反時計回りに回転されている。シートＬの先端部が分離ローラ２４と分離片２５との間に挟まれたときに、シートＬがたとえば１枚ずつに分離され、１枚のシートＬのみが分離ローラ２４と分離片２５との間を通過して、共通パス５５に送り込まれる。
【００８６】
第１ＬＦローラ２７は、前側から見て時計回りに回転されている。従動ローラ２８は、第１ＬＦローラ２７の回転に伴って、前側から見て反時計回りに回転している。共通パス５５に送り込まれたシートＬの先端部が第１ＬＦローラ２７および従動ローラ２８の各周面の当接部分に到達すると、第１ＬＦローラ２７および従動ローラ２８からシートＬに搬送力が付与される。
【００８７】
その後、シートＬは、下コンタクトガラス６１および上コンタクトガラス６３上を順に通過する。下コンタクトガラス６１および上コンタクトガラス６３上のシートＬに、それぞれ密着イメージセンサモジュール６２，６４のＬＥＤ光源から光が照射される。そして、シートＬでの反射光が密着イメージセンサモジュール６２，６４のイメージセンサに受けられることにより、シートＬの両面に描かれている画像が読み取られる。
【００８８】
第２ＬＦローラ３１は、前側から見て時計回りに回転される。従動ローラ３２，３３は、前側から見て反時計回りに回転する。シートＬの先端部が第２ＬＦローラ３１および従動ローラ３２の各周面の当接部分に到達すると、第２ＬＦローラ３１および従動ローラ３２からシートＬに搬送力が付与される。その後、シートＬの先端部が第２ＬＦローラ３１および従動ローラ３３の各周面の当接部分に到達すると、第２ＬＦローラ３１および従動ローラ３３からシートＬに搬送力が付与される。
【００８９】
排出カバー５が開かれているので、フラッパ８１が図４に示される状態に位置している。すなわち、フラッパ８１は、第２パス７８への径路を開放し、第１パス７８への径路を閉じている。そのため、第２ＬＦローラ３１と従動ローラ３２との間から送り出されるシートＬは、フラッパ８１の下側を搬送される。
【００９０】
フラッパ８１の下側を通過したシートＬの先端部は、図９Ａに示されるように、第２パス７６を搬送される。シートＬの搬送が進むと、シートＬの先端部は、たとえば第２パス形成部３８の上面に当接して、第２パス形成部３８の上面に摺擦しつつ移動する。このとき、シートＬの先端部は、第２パス形成部３８と前後方向において一様に接触する。そのため、シートＬは、搬送方向が左右方向に沿ったまま、第１受け部９１に向かって移動する。
【００９１】
シートＬの搬送が進むと、シートＬの先端部は、２つの突出部９２に当接する。その後、シートＬの先端部は、図９Ｂに示されるように、２つの突出部９２の上面に沿って移動する。このとき、シートＬの先端部と２つの突出部９２の上面との間に摩擦力が発生する。２つの突出部９２は、前後方向において、それぞれ中央の第２ＬＦローラ３１の前側および後側に設けられているため、シートＬの先端部と２つの突出部９２の上面との間に発生する摩擦力は、前後方向において、シートＬにバランスよく作用する。
【００９２】
シートＬの搬送がさらに進むと、シートＬの先端部は、突出部９２の上面の左上端を通過する。シートＬの先端部が突出部９２から離れた直後の状態では、シートＬの先端部は、シートＬの腰により、第２受け部９３の延出部９７から浮いている。その後、シートＬの先端部は、図９Ｃに示されるように、第２受け部９３の延出部９７に接触し、延出部９７に摺擦しつつ移動する。
【００９３】
そして、シートＬの後端部が第２ＬＦローラ３１と従動ローラ３３との間を通過する。シートＬの後端部が第２ＬＦローラ３１と従動ローラ３３との間を通過した後、シートＬは慣性により、搬送方向の下流側に移動する。このシートＬの移動により、シートＬの先端部が第２受け部９３の突起部９８に当接する。その後、シートＬは、自重により、搬送方向の上流側に戻る。これにより、シートＬの排出が完了する。シートＬの排出が完了した状態において、シートＬは、図９Ｄに示されるように、第２受け部９３の延出部９７と２つの突出部９２と第２パス形成部３８とによって支持される。シートＬの重心Ｇは、シートＬと第２受け部９３、突出部９２および第２パス形成部３８との接触部分の内側であり、仮想線Ｄで示される領域Ｄ内に存在する。そのため、シートＬが筐体２から排出された後に、そのシートＬが第２受け部９３から脱落することを抑制できる。
【００９４】
＜作用効果＞
【００９５】
以上のように、筐体２から排出されるシートＬは、第１受け部９１および第２受け部９３に受けられる。第２受け部９３は、第１受け部９１の左側に設けられている。そのため、筐体２から排出されるシートＬを受けるために、シートの排出方向において、第１受け部９１および第２受け部９３を合わせた長さを確保することができる。よって、シートＬの落下を抑制することができる。
【００９６】
第２受け部９３は、前後方向において、中央の第２ＬＦローラ３１の後側に位置する。そのため、筐体２から排出されるシートＬが第１受け部９１上から第２受け部９３上に差し掛かると、シートＬの後側に片寄った部分が第２受け部９３から摩擦力を受ける。また、突出部９２が第１受け部９１に設けられている。突出部９２は、第２ＬＦローラ３１の前側に設けられている。そのため、シートＬの前側に片寄った部分が突出部９２から摩擦力を受ける。これにより、前後方向において、第２受け部９３および突出部９２からシートＬに摩擦力がバランスよく作用する。その結果、シートＬが前後方向に傾くことを抑制し、第２受け部９３からのシートＬの落下を抑制することができる。
【００９７】
突出部９２は、中央のＬＦローラ３１の後側にも設けられている。そのため、筐体２から排出されるシートＬは、２つの突出部９２上に乗り上がる。これにより、シートの先端部は、第１受け部９１の受け面９６から浮き上がる。そのため、シートの先端部は、第２受け部９３の左上端部を越えて、第２受け部９３の延出部９７の途中部から左上側の部分に接触する。その結果、シートＬが第２受け部９３から摩擦力を受けながら搬送される期間が短くなる。よって、第２受け部９３からのシートＬの落下を一層抑制することができる。
【００９８】
突出部９２は、排出カバー５の回動軸１３から遠い側が近い側よりも突出している。これにより、シートＬを第１受け部９１の受け面９６から突出部９２上にスムーズに移動させることができる。
【００９９】
第２受け部９３は、第２受け部９３が収納位置に位置する状態において、延出部９７の前端部に、突出部９２と同じ側に突出する突起部９８を備えている。そのため、筐体２から排出されたシートＬが慣性によって搬送方向の下流側に移動しても、シートＬの先端部が突起部９８に当接することにより、シートＬが第２受け部９３を左右方向に越えて落下することを抑制できる。
【０１００】
＜変形例＞
【０１０１】
以上、本発明の一実施形態について説明したが、本発明は、他の形態で実施することもできる。
【０１０２】
たとえば、前述の実施形態では、３つの第２ＬＦローラ３１が設けられた構成を取り上げた。しかしながら、４つ以上の第２ＬＦローラ３１が前後方向に並べて設けられてもよい。その場合、前後方向の両端の第２ＬＦローラ３１以外のすべての第２ＬＦローラ３１が１つの第２ＬＦローラ３１とみなされて、その１つの第２ＬＦローラ３１の前後方向の中央に対する少なくとも前側に、突出部９２が設けられるとよい。
【０１０３】
また、第２受け部９３は、収納位置と展開位置とに回動可能に設けられているとした。しかしながら、第２受け部９３は、他の構成であってもよい。たとえば、第２受け部９３は、排出カバー５と略平行に延びた状態で、排出カバー５に固定的に設けられていてもよい。また、第２受け部９３は、延出部９７がスペース９５に収納される位置と延出部９７が排出カバー５の外側で排出カバー５と略平行に延びた状態にされる位置との間で、排出カバー５と略平行な方向にスライド可能に設けられていてもよい。
【０１０４】
その他、前述の構成には、特許請求の範囲に記載された事項の範囲で種々の設計変更を施すことが可能である。
【符号の説明】
【０１０５】
１      画像読取装置
２      筐体
２９    下読取部
３０    上読取部
３１    第２ＬＦローラ
９１    第１受け部
９２    突出部
９３    第２受け部
９６    重なり面
９８    突起部
１００  軸
【図１】
2014097887.tif 000003
【図２】
2014097887.tif 000004
【図３】
2014097887.tif 000005
【図４】
2014097887.tif 000006
【図５】
2014097887.tif 000007
【図６】
2014097887.tif 000008
【図７】
2014097887.tif 000009
【図８】
2014097887.tif 000010
【図９Ａ】
2014097887.tif 000011
【図９Ｂ】
2014097887.tif 000012
【図９Ｃ】
2014097887.tif 000013
【図９Ｄ】
2014097887.tif 000014